(57)【要約】【目的】本発明の目的は、安価なモータを用い、生ゴミを結合させずに万遍なくマイクロ波及び送風を作用させて乾燥の促進を図ることができる装置を提供することを課題とするものである。【構成】生ゴミが収容される有底筒状のゴミ容器３と、ゴミ容器３内に給排気するファン装置６，７と、生ゴミにマイクロ波を照射するマイクロ波照射装置５と、ゴミ容器３の底部に回転自在で取り付けられる回転羽根９と、回転羽根９を回転駆動する羽根駆動モータ１０と、羽根駆動モータ１０を連続的もしくは断続的に駆動させる制御手段７０とを備えた。【選択図】　図７
2004016947.tif 000002
【特許請求の範囲】
【請求項１】
生ゴミが収容される有底筒状のゴミ容器と、該ゴミ容器内に給排気するファン装置と、生ゴミにマイクロ波を照射するマイクロ波照射装置と、前記ゴミ容器の底部に回転自在で取り付けられる回転羽根と、該回転羽根を回転駆動する羽根駆動モータと、該羽根駆動モータを連続的もしくは断続的に駆動させる制御手段とを備えたことを特徴とする生ゴミ処理装置。
【請求項２】
生ゴミからの排気湿度を検出する湿度検出手段と、生ゴミからの排気温度を検出する温度検出手段を備え、前記制御手段は、前記湿度検出手段で検出される排気湿度及び前記温度検出手段で検出される排気温度に基づいて前記羽根駆動モータを制御することを特徴とする上記請求項１記載の生ゴミ処理装置。
【請求項３】
前記回転羽根を駆動させずにマイクロ波照射装置と給排気ファンを駆動して生ゴミの水分を取り除く工程と、前記回転羽根を短時間駆動してゴミをかき混ぜる工程と、前記回転羽根を間欠的に回転させてゴミを撹拌する工程と、前記回転羽根を連続的に回転させてゴミを粉砕する工程とを実行する処理メニューを備え、前記制御手段は、前記湿度検出手段で検出される排気湿度及び前記温度検出手段で検出される排気温度に基づいて前記処理メニューの各工程を実行させることを特徴とする上記請求項２記載の生ゴミ処理装置。
【発明の詳細な説明】
【０００１】
【産業上の利用分野】
本発明は、マイクロ波と送風を生ゴミに作用させて生ゴミの減量化を図るタイプの生ゴミ処理装置に関する。
【０００２】
【従来の技術】
従来この種の生ゴミ処理装置として、生ゴミが投入される処理槽と、該処理槽の生ゴミにマイクロ波を照射するマイクロ波照射装置と、処理槽内に送風する送風ファンと、処理槽からの排気を吸引する排気ファンと、処理槽内の底部で回転し生ゴミを撹拌・切断する回転羽根とを備え、処理槽内に収容した生ゴミを撹拌しながらマイクロ波と送風を作用させて生ゴミを乾燥させ、乾燥させた生ゴミを粉砕して減量化する装置が知られている。
【０００３】
【発明が解決しようとする課題】
このような従来の装置では、処理開始と同時に回転羽根を連続回転させて生ゴミを撹拌しながらマイクロ波を照射して生ゴミの乾燥を図っているので、水分を多く含んだ生ゴミが混練されて結合し団子状の塊になってしまうといった問題が生じていた。また逆に、生ゴミを撹拌させずにマイクロ波による加熱のみを行った場合、生ゴミの表面に近い部分が乾燥しやすいため、表面が固化することで、生ゴミ内部からの蒸気排出が妨げられ、スムーズな水分除去が行われないという問題があった。
【０００４】
これらの問題を考慮して、生ゴミを加熱し水分を除去している段階では、回転羽根を生ゴミが混練されない程度の低速で回転させ、乾燥後の生ゴミを粉砕する段階では、回転羽根を高速で回転させることも考えられるが、速度調節可能なモータを用いるか、別途速度を調節するための手段が必要となり、装置全体のコストアップに繋がる。また、撹拌用の回転羽根と粉砕用の回転羽根をそれぞれ設けたものも知られているが、装置が複雑で高価なものになる。
そこで本発明は、安価なモータを用い、生ゴミを結合させずに万遍なくマイクロ波及び送風を作用させて乾燥の促進を図ることができる装置を提供することを課題とするものである。
【０００５】
【課題を解決するための手段】
このような課題を解決するために本発明は、生ゴミが収容される有底筒状のゴミ容器と、該ゴミ容器内に給排気するファン装置と、生ゴミにマイクロ波を照射するマイクロ波照射装置と、前記ゴミ容器の底部に回転自在で取り付けられる回転羽根と、該回転羽根を回転駆動する羽根駆動モータと、該羽根駆動モータを連続的もしくは断続的に駆動させる制御手段とを備えたものである。
【０００６】
制御手段は、生ゴミから排出される蒸気の排気湿度及び排気温度に基づいて羽根駆動モータを制御する。また、回転羽根を駆動させずにマイクロ波照射装置と給排気ファンを駆動して生ゴミの水分を取り除く工程と、回転羽根を短時間駆動してゴミをかき混ぜる工程と、回転羽根を間欠的に回転させてゴミを撹拌する工程と、回転羽根を連続的に回転させてゴミを粉砕する工程とを実行する処理メニューを備え、制御手段は、排気湿度及び排気温度に基づいて処理メニューの各工程を実行させる。
【０００７】
【作用】
本発明によれば、処理動作がスタートすると、マイクロ波照射装置、ファン装置が駆動する。これにより、生ゴミが加熱され、加熱によって発生する蒸気が外気に排出される。容器駆動モータを備えた場合、ゴミ容器を回転させながらマイクロ波が照射されてムラ無く加熱される。回転羽根は生ゴミの結合を防ぐため、排気温度及び排気湿度が所定値を下回るまで駆動させない。その後、排気温度が所定温度以上の状況で、排気湿度が所定湿度以下に低下すると、生ゴミ中の水分がある程度除去されたと判断して、回転羽根を数秒だけ回転させて生ゴミをかき混ぜ、生ゴミ内に溜まった蒸気の排出が図られる。排気湿度が減少すると、今度は回転羽根を間欠的に回転させて生ゴミ全体を撹拌し更なる水分除去が図られる。更に排気湿度が減少すると、生ゴミが乾燥したと判断として、回転羽根を連続的に回転させて生ゴミの粉砕が図られる。ここで排気温度が所定温度を上回ったら処理終了となり、マイクロ波照射装置、各モータの駆動を停止する。
【０００８】
【実施例】
本発明の生ゴミ処理装置の一実施例について説明する。図１は本発明一実施例の生ゴミ処理装置を示す外観斜視図、図２は同装置の正面断面図、図３は側面断面図、図４は平面断面図である。
【０００９】
本発明の生ゴミ処理装置は、箱形の本体ケーシング１の内部に、上面を開口した処理槽２と、処理槽２内に着脱されるゴミ容器３と、ゴミ容器３から排出される水分を受ける排水容器４と、ゴミ容器３に収容される生ゴミに対してマイクロ波を照射するマイクロ波発生装置５と、ゴミ容器３内に送風する送風ファン６と、ゴミ容器３内から排気する排気ファン７と、ゴミ容器３を回転する容器駆動モータ８と、ゴミ容器３内の回転羽根９を回転する羽根駆動モータ１０とを備え、ケーシング１の上面に、処理槽２の上面開口を開閉する蓋体１１と、操作パネル１２を露出した操作ボックス１３を備え、ケーシング１の前面下部に、開閉自在の前面扉１４を備え、ケーシング１の底面に移動用キャスター１５を備えている。つまり、ゴミ容器内の生ゴミに対し、マイクロ波照射・送風・攪拌・切断の作用を与え、減量化を図るタイプの装置である。以下、各部の構成について詳細に説明する。
【００１０】
処理槽２は、内面にマイクロ波照射口１６・送風口１７・排気口１８・排水口１９が開口されている。マイクロ波照射口１６は、一側面の中央部付近に開口されており、マイクロ波を透過する材料で構成されたマイクロ波透過板２０を取り付け、導波管２１を介して前記マイクロ波照射装置５が接続されている。送風口１７は、マイクロ波照射口１６の上側に位置する処理槽２の開口部近傍に開口されており、マイクロ波が漏洩しない大きさの通気孔を有する通気カバー２２を取り付け、送風管２３を介して送風ファン６が接続されている。排気口１８は、送風口１７と直交する処理槽２の後面側上部に開口されており、送風口１７同様の通気カバー２２を取り付け、排気洞２４と排気ダクト２５を介して排気ファン７が接続されている。排水口１９は、処理槽２の底面に開口されており、マイクロ波が漏洩しない大きさの通水孔を有する通水カバー２６を取り付け、ドレンホース２７を介して排水容器４と連通している。尚、本実施例では、生ゴミを収容したゴミ容器３を処理槽２に取り付けるようにしているため、ゴミを粉砕する段階で飛散したゴミが上記処理槽２の各開口から入り込むことがなく、特に上記送風口１７及び排気口１８の開口面積を大きくすることが可能となる。これにより、送風及び排気能力が向上し、安価な小型のファンで十分な性能を得ることができる。
【００１１】
送風管２３は、マイクロ波照射装置５の放熱部を通過するように配置され（図３参照）、送風ファン６の送風によってマイクロ波照射装置５が冷却されるとともに、熱交換によって熱風となった送風がゴミ容器３内に供給されるようになっている。また、送風管２３におけるマイクロ波照射装置５の上流側に温度センサ６７が設けられており、送風ファン６によって吸い込む周囲温度が検出できるようになっている。
【００１２】
排気洞２４は、仕切板２４ｃによって内部が仕切られており（図４参照）、排気ダクト２５が接続されて排気ファン７によって直接吸引される速流室２４ａと、仕切板２４ｃと排気洞２４内面との隙間で速流室２４ａと連通し吸引力が制限される遅流室２４ｂが形成されている。速流室２４ａには、排気温度を検出するための排気温センサ６５が設けられ、遅流室２４ｂには、ゴミ容器３からの排気湿度を検出する湿度センサ６６が設けられている。このように、排気側に空気の流れの少ない遅流室２４ｂを形成し、この遅流室２４ｂに湿度センサ６６を取り付けることで湿度の検出を正確に行うことができる。
【００１３】
また、処理槽２は、内底面の中心部にゴミ容器３を着脱する係合部材２９を備えている。係合部材２９は、下面に外回転軸３０を突出形成し、処理槽２底面に設けた軸受３１によって回転自在に支持されている。この回転軸３０の下端には、プーリ３２が取り付けられ、容器駆動モータ８の駆動軸３３に取り付けたプーリ３４とＶベルト３５を介して連係されている。また、外回転軸３０には、羽根駆動モータ１０に駆動される内回転軸３６が貫通され、この内回転軸３６を軸支する軸受３７が備えられている。内回転軸３６は、上端を係合部材２９の中心部に突出し、後述するゴミ容器３の受動軸と合致する下カップリング３７が取り付けられ、下端には大プーリ３８が取り付けられ、羽根駆動モータ１０の駆動軸３９に取り付けた小プーリ４０とＶベルト４１を介して連係されている。これら、外回転軸３０と内回転軸３６とは、それぞれ逆方向に回転するように構成されており、ゴミ容器３と回転羽根９が相対的に回転することでゴミの撹拌・対流効果が促進されるようになっている。
【００１４】
尚、２８は処理槽２背面側に取り付けられる駆動回路基板で、マイクロ波照射装置をはじめとする各機器が接続され、各機器を動作させるものである。４２は係合部材２９を囲むように処理槽２の内底面に取り付けられる水受トレイで、ゴミ容器３からの排水を受け、前記処理槽２の排水口１９に導くものであり、処理槽２から取り出して清掃できるようになっている。４３は処理槽２の内側４面に取り付けられ、取り付けたゴミ容器３の上部を固定するための凸片である。
【００１５】
ゴミ容器３は、マイクロ波を透過する材料により上面を開口した有底円筒状に形成され、前記処理槽２の係合部材２９にバヨネット結合によって着脱される。
ゴミ容器３の外底面には、係合部材２９に結合する取付部材４４が設けられ、この取付部材４４の中心部には、前記処理槽２の内回転軸３６と連結して回転駆動する受動軸４５が貫通されており、この受動軸４５の上端はゴミ容器３内に突出して回転羽根９が固着され、下端には内回転軸３６の下カップリング３７と合致する上カップリング４６が取り付けられている。また、ゴミ容器３の内底面には、生ゴミの水分が排出される大きさの排水孔４７が多数設けられ、その上に内底面とわずかな隙間を持たせて内蓋８５が取り付けられている。これにより、内蓋８５と内底面との隙間から排水孔４７を通じて生ゴミの水分が排出され、排水孔４７から排出された排水は処理槽２の水受トレイ４２に落下し、排水口１９からドレンホース２７を通じて排水容器４に溜められるようになる。尚、４８はゴミ容器３を着脱するための取手である。
【００１６】
回転羽根９は、図５に示すように、内回転軸３６の上端にねじ固定されるボス部９ａと、このボス部９ａの上面から斜め上方に延びる２枚の上羽根部９ｂと、この上羽根部９ｂと交差するように配置され、ボス部９ａの上面から斜め下方に延びる２枚の下羽根部９ｃとで構成されている。各羽根部９ｂ，９ｃにおける２枚の羽根は、ボス部９ａを挟んでそれぞれ対称に設けられ上羽根部９ｂが正面視逆ハ字型、下羽根部９ｃが正面視ハ字型に構成されている。また、上羽根部９ｂは下羽根部９ｃの略半分の長さを有しており、各羽根部９ｂ，９ｃには回転時に先行する側の端部にそれぞれ薄肉のカッター刃が形成されている。この回転羽根９により、生ゴミはゴミ容器内で常に上下に対流し、順次上羽根部９ｂと下羽根部９ｃに作用することになり、均一にゴミの細分化が図られるのである。
【００１７】
排水容器４は、図３に示すように、本体ケーシング１における処理槽２下部に形成される排水室４９に着脱自在に取り付けられる。この排水室４９は、本体１の前面扉１４を開いた状態で排水容器４が出し入れできる位置に形成され、処理槽２の排水口１９に連結されるドレンホース２７が上面に露出している。また、この排水室４９内には、排水容器４の有無を確認するためのマイクロスイッチ５０が設けられており、排水容器４が無い状態で、装置を駆動させないようになっている。
【００１８】
蓋体１１は、図１に示すように、本体ケーシング１の処理槽２上面にヒンジ５１によって開閉自在に取り付けられる。蓋体１１の内面には、この蓋体１１を閉じた状態でゴミ容器３内に臨む送風案内筒５２が設けられており、この送風案内筒５２の周囲にマイクロ波を外部に漏洩させないためのチョーク溝８４が設けられている。
【００１９】
送風案内筒５２は、処理槽２の送風口１７と連通する送風洞５３を一体的に形成し、処理槽２の排気口と対面する円周面に排気孔５４を穿設している。この送風案内筒５２の内面は、仕切板５５によって送風洞５３が形成される吹出部５２ａと排気孔５４が開口される吸込部５２ｂとに仕切られており、送風ファン６からの送風をゴミ容器３内の生ゴミに指向させ、送風が排気孔５４へ抜けてしまうことを防止する役割を果たしている。尚、送風案内筒５２は、ゴミ容器３への送風力を高めるために吹出部５２ａを狭くしており、その大きさは送風案内筒５２の全体開口の約１／４以下にしている。一方、吸込部５２ｂは生ゴミからの蒸気を多く取り込めるように、送風案内筒５２の全体開口の約１／２程度にしている。
【００２０】
この送風案内筒５２により、送風ファン６の送風がゴミ容器３内に供給され、処理の過程で発生した蒸気を排気ファン７で吸引する通風経路が形成されることになる。この通風経路について、図６を用いてまとめると、送風ファン６の駆動によって外気が導入される▲１▼。この外気が送風管２３を通過する間にマイクロ波照射装置５を冷却して温風となり、処理槽２の送風口１７から蓋体１１の送風案内筒５２（図示しない）を通じてゴミ容器３の上方から生ゴミに吹き付けられる▲２▼。生ゴミから発生する蒸気を含んだ排気は、蓋体１１の送風案内筒５２を通じて吸引される▲３▼。吸引した排気は、処理槽２の排気口１８から排気洞２４を経て排気ダクト２５を通じて外気に排出される▲４▼。尚、排気ダクト２５に長尺の排気ホースを連結し装置から離れた外部へ排出することもでき、例えば装置を屋内に設置した場合には、排出ホースを用いて屋外に排気することができる。また、排気ダクトに脱臭機能を備えても良い。
【００２１】
また、送風案内筒５２は、ゴミ容器３の上面開口に内嵌される大きさであり、ゴミ容器３内で回転羽根９が回転する粉砕時に、ゴミがゴミ容器３から外へ飛び散ることを防止するようになっている。すなわち、蓋体１１内面の送風案内筒５２がゴミ容器３の上面を覆う内蓋として機能し、ゴミ容器内で対流する生ゴミが飛び上がって処理槽との隙間に入り込むことがないのである。
【００２２】
蓋体１１の前部には、蓋体を開閉するための取手５６が取り付けられ、基板ケース１３と隣接する側面には、蓋体１１が閉じられているか否かを検出するスイッチマグネット５７が設けられる。また、蓋体１１の内面側前方には、蓋体１１を閉塞状態に保持する固定マグネット５８，５８と、本体ケーシング１の上面に設けたスイッチ板５９を押し込む押込棒６０が凸設されている。尚、本体ケーシング１のスイッチ板５９は、内蔵される３対のマイクロスイッチ６１に連係されており、蓋体１１を閉じると押込棒６０がこのスイッチ板５９を押し込んでマイクロスイッチ６１が入る構造をなし、蓋体１１を閉じていない状態で装置を動作させない安全スイッチの役割を果たす。
【００２３】
操作ボックス１３は、上面に操作パネル１２を備え、内部に操作パネル１２のスイッチ基板６２と、前記蓋体１１のスイッチマグネット５７に反応して蓋体１１が閉塞されていることを検出する磁気センサ６３を備えている。
【００２４】
次に、本実施例の制御系について図７のブロック図を用いて説明する。前記駆動回路基板２８には、各メニューの動作プログラムが記憶されたメモリ８７を内蔵したマイクロコンピュータ７０が備えられ、各駆動機器であるマイクロ波照射装置５、送風ファン６、排気ファン７、容器駆動モータ８、羽根駆動モータ１０，操作パネル１２と、各検出機器である排水容器スイッチ５０、蓋スイッチ６１、磁気センサ６３、排気温センサ６５、湿度センサ６６、温度センサ６７が接続されている。操作パネル１２には、駆動時間を表示する時間表示部７１、動作の進行状況を表示する工程表示部７２、排水容器がセットされていない時に点滅する容器ランプ７３、点検が必要な時に点灯する点検ランプ７４の各表示部と、スタートキー７５、ストップキー７６、動作時間を設定する時間設定キー７７、「標準」「オリジナル」の両メニューに対応したメニューキー７８・７９、追加乾燥キー８０、手動粉砕キー８１の各操作キーを備えている。この操作パネル１２で各種設定を行った後、動作をスタートさせると設定した内容に応じてマイクロコンピュータ７０が各駆動機器を制御し、生ゴミの処理が行われるのである。
【００２５】
続いて、以上のように構成される本実施例の動作について、図８のフローチャート図に沿って説明する。
処理する生ゴミをゴミ容器３に投入し、このゴミ容器３を処理槽２内にセットする。蓋体１１が閉じられていることを蓋スイッチ６１及び磁気センサ６３で確認（１）すると、メニュー受付状態（２）となる。すなわち、蓋体１１が完全に閉じられた状態でないといずれのキー入力も受け付けない。次に、排水容器４が排水室４９にセットされているか否かを排水容器スイッチ５０で確認（３）し、排水容器４がセットされていない場合、容器ランプ７３を点滅（４）させてスタートさせない。
【００２６】
処理（２）におけるメニュー受付状態で、メニューキー７８・７９により希望のメニューが選択されると、スタートキー７５入力の待機状態（５）となり、スタートキーが入力されると、選択したメニューに応じたプログラムが実行されることになる。つまり、「標準」メニューを選択した場合は標準プログラム（６）が、「オリジナル」メニューを選択した場合はオリジナルプログラム（７）が実行される。尚、「オリジナル」メニューは、「標準」メニューをベースに各設定値（温度・湿度・時間）を処理するゴミの種類に合わせてカスタマイズしたものであり、基本動作は「標準」メニューと同じである。よって、以下、「標準」メニューの動作について説明する。
【００２７】
「標準」メニューは、図９のフローチャートに沿って実行される。
プログラムがスタートすると、マイクロ波照射装置５・送風ファン６・排気ファン７・容器駆動モータ８が駆動（８）し、初期加熱が行われる。この処理は、回転羽根を駆動させる前に生ゴミの水分をある程度取り除くことを目的としており、ゴミ容器３を回転させながらマイクロ波を照射することで、生ゴミにムラ無くマイクロ波を作用させると同時に、送風ファン６及び排気ファン７により取り除いた水分を円滑に外気へ排出するものである。
【００２８】
初期加熱を開始してから所定時間ｔａ経過（９）すると、周囲温度に基づく設定温度Ｔ１，Ｔ２の設定処理（１０）が行われる。この処理は、初期加熱の状態から回転羽根を回転して生ゴミを撹拌させる工程に移行するための設定温度Ｔ１と、マイクロ波照射装置による生ゴミへの加熱を終了させるための設定温度Ｔ２とを決定するものであり、図１０に示すフローチャートに沿って実行される。
【００２９】
まず、送風ファン６で取り込まれる外気の温度を周囲温度センサ６７で検出（３０）する。次に、メモリ８７内に記憶される設定温度Ｔ１に対する基準温度Ｔａと、設定温度Ｔ２に対する基準温度Ｔｂを読み出し（３１）、検出した周囲温度Ｔと比較して、差分温度Ｔ−Ｔａを算出（３２）する。そして、算出した差分温度Ｔ−Ｔａに基づいて、図１１に示すメモリ８７のメモリマップに沿って補正値＋ａ〜−ｅを読み込み（３３）、初期設定温度Ｔ１ａ，Ｔ２ｂに増減して、設定温度Ｔ１及びＴ２を設定（３４）するのである。
【００３０】
例えば、外気の基準温度Ｔａを２０℃、初期設定温度Ｔ１ａを５０℃とするとき、周囲温度センサ６７で検出した外気温度Ｔが２３℃であった場合、差分温度Ｔ−Ｔａは３℃となるので、メモリ８７から補正値＋ｂが読み出され、初期設定温度５０℃にこの補正値＋ｂを加えた（５０＋ｂ）℃が設定温度Ｔ１として設定されるのである。つまり、周囲温度が基準温度よりも高ければ、通常よりも高い温度で制御が行われ、逆に周囲温度が基準温度よりも低ければ、通常よりも低い温度で制御が行われることになる。これにより、装置を使用する周囲の環境が異なっても設定温度Ｔ１または設定温度Ｔ２に達するまでの時間にばらつきをなくすことができ、常に同じ程度の加熱を行うことができる。尚、各基準値Ｔａ，Ｔｂ，Ｔ１ａ，Ｔ２ｂは任意に変更可能に構成しても良い。
【００３１】
さて、初期加熱によって生ゴミから発生する排気が、設定温度Ｔ１℃以上に上昇したことを排気温度センサ６７で検出（１１）した後、排気湿度センサ６６で排気湿度がＨ１％以下に低下したことを検出（１２）すると、羽根駆動モータ１０をｔ１秒間駆動（１３）して回転羽根９を回転する。生ゴミをある程度乾燥させてから回転羽根を回転させると、生ゴミが結合することなく、ばらけた形態でかき混ぜられて熱の分散が図られ、水分が生ゴミ内に閉じこめられることが防止される。その後、排気湿度がＨ２％以下に低下したことを検出（１４）すると、処理（１３）同様に羽根駆動モータ１０をｔ１秒間駆動（１５）させるようにしている。これにより、生ゴミは適度にかき混ぜられ、内部の蒸気が活発に排出されることになる。
【００３２】
次に、排気湿度がＨ３％以下に低下したことを検出（１６）すると、排気湿度がＨ４％以下に低下するまで、羽根駆動モータ１０をｔ２秒ＯＮ−ｔ３秒ＯＦＦで間欠駆動（１７）させて回転羽根９を間欠的に回転させる。また、排気湿度がＨ４％以下になったことを検出（１８）すると、今度は排気湿度がＨ５％以下に低下するまで、羽根駆動モータ１０をｔ４秒ＯＮ−ｔ５秒ＯＦＦで間欠駆動（１９）させて回転羽根９を間欠的に回転させる。この段階では、適度にばらけた生ゴミが更に細かく分離され、細部に及んで加熱され蒸気の排出が行われる。尚、ここまでの処理（１３）〜（１９）を実行中に排気温センサ６５で動作終了温度Ｔ２℃以上を検出した場合、異常と判断して送風ファンと排気ファンを除く全ての機器の駆動を停止し、強制終了させるようにしている。
【００３３】
排気湿度がＨ５％以下に低下したことを検出（２０）すると、羽根駆動モータ１０を連続駆動（２１）させて乾燥した生ゴミの粉砕が行われる。この処理は、ほぼ水分が取り除かれた生ゴミを細分化して減量するものであり、排気温度センサ６７で排気温度が上記処理（１０）で決定された設定温度Ｔ２℃以上になったことを検出（２２）するまで実行される。
【００３４】
設定温度Ｔ２に達していない場合は、上記処理（２０）まで戻り、排気湿度がＨ５％以下に低下しているかがチェックされる。ここで、排気湿度がＨ５％以下に低下していないと判断されると、今度は処理（１８）まで戻り、排気湿度がＨ４％以下に低下しているかがチェックされる。ここで、排気湿度がＨ４％以下に低下していないと判断されると、処理（１７）に戻って羽根駆動モータ１０をｔ２秒ＯＮ−ｔ３秒ＯＦＦで間欠駆動させる動作が行われる。すなわち、最終的な粉砕段階で乾燥不足が検出された場合は、水分の残留の程度に応じてかき混ぜ動作が追加されることになる。
【００３５】
処理（２２）において、排気温度が設定温度Ｔ２℃以上に達したことを検出すると、その時点でマイクロ波照射装置５の駆動のみを停止（２３）し、過加熱による発火を防止する。次に、回転羽根の駆動時間ｔ６が確認（２４）され、駆動時間ｔ４が経過していない場合は引き続き回転羽根を回転させて粉砕動作を継続する。これにより、最終的なゴミ粉砕の動作は最低ｔ４時間は行われることになり、粉砕不足になることがない。
【００３６】
処理（２４）において、駆動時間ｔ６の経過を検出すると、羽根駆動モータ１０を停止（２５）する。送風ファン６・排気ファン７・容器駆動モータ８は引き続き動作させて、処理後のゴミ及びマイクロ波照射装置５の冷却が図られる。その後、排気温度がＴ３℃以下になったことを検出（２６）するか、マイクロ波照射装置を停止してから時間ｔｂ経過（２７）すると、ゴミが取り出しやすい温度まで低下したと判断して、送風ファン６・排気ファン７・容器駆動モータ８を停止（２８）させるように動作するのである
【００３７】
全てのメニューを実行中に蓋体１１が開放されると、どの工程であってもの全ての機器を停止させる。また、ストップキー７６が入力された場合も同じである。処理後のゴミは、減量・細分化された状態となり、ゴミ容器３を処理槽２から取り外して廃棄する。また、ゴミ容器３底面から排出される水分は、処理槽２の排水口１９から排水ドレン２７を通じて排水容器４に溜められ、処理後にこの容器を取り出して廃棄されるのである。
【００３８】
【発明の効果】
本発明は以上のように構成され、羽根駆動モータを連続的もしくは断続的に駆動させるようにしたので、モータの速度調整機能が不要となり、撹拌と粉砕の作用を１つの安価なモータで行うことができ、製品コストを上げることがない。
【００３９】
また、生ゴミから排出される蒸気の排気湿度及び排気温度に基づいて羽根駆動モータを制御するので、生ごみの状態に応じて回転羽根の駆動を変えることができ、含水の多い生ごみを撹拌によって結合させることがなく、逆に含水の少ない生ごみを素早く粉砕によって細分化することができる。
【００４０】
更に、回転羽根を駆動させずにマイクロ波照射装置と給排気ファンを駆動して生ゴミの水分を取り除く工程と、回転羽根を短時間駆動してゴミをかき混ぜる工程と、回転羽根を間欠的に回転させてゴミを撹拌する工程と、回転羽根を連続的に回転させてゴミを粉砕する工程とを実行する処理メニューを排気湿度及び排気温度に基づいて実行されるので、ゴミ容器に生ごみを投入するだけで、確実に生ごみを処理することができるようになる。
【図面の簡単な説明】
【図１】本発明一実施例の生ゴミ処理装置を示す外観斜視図である。
【図２】同装置の正面断面図である。
【図３】同装置の側面断面図である。
【図４】同装置の平面断面図である。
【図５】同装置の回転羽根９を示す説明図である。
【図６】同装置の通風経路を示す説明図である。
【図７】同装置の制御系を示すブロック図である。
【図８】同装置の動作を示すフローチャート図である。
【図９】標準メニューの動作を示すフローチャート図である。
【図１０】温度設定の動作を示すフローチャート図である。
【図１１】温度補正値を示すメモリマップである。
【符号の説明】
１　本体ケーシング
２　処理槽
３　ゴミ容器
５　マイクロ波照射装置
６　送風ファン
７　排気ファン
８　容器駆動モータ
９　回転羽根
１０　羽根駆動モータ
１１　蓋体
６５　温度センサ（温度検出手段）
６６　湿度センサ（湿度検出手段）
７０　マイクロコンピュータ（制御手段）
８７　メモリ（記憶手段）
【図１】
2004016947.tif 000003
【図２】
2004016947.tif 000004
【図３】
2004016947.tif 000005
【図４】
2004016947.tif 000006
【図５】
2004016947.tif 000007
【図６】
2004016947.tif 000008
【図７】
2004016947.tif 000009
【図８】
2004016947.tif 000010
【図９】
2004016947.tif 000011
【図１０】
2004016947.tif 000012
【図１１】
2004016947.tif 000013